(57)【特許請求の範囲】
【請求項１】
本体が蓋体で開閉されると共に、飲料用容器の底を支持する底受け部と、前記容器の側面を支持可能な側壁部とを有した概略凹状からなるカップホルダ装置において、
前記蓋体に設けられて、前記凹状の下面である底受け部の上側で該凹状内を横切るよう突出され、前記容器の底を支持可能な第２の底受け部を有していることを特徴とするカップホルダ装置。
【請求項２】
前記第２の底受け部は、前記蓋体に沿って配置される非使用位置と、前記凹状内に突出配置される使用位置とに回動切り換えられる請求項１に記載のカップホルダ装置。
【請求項３】
前記第２の底受け部は、前記凹状内に突出される高さが変更可能になっている請求項１又は２に記載のカップホルダ装置。
【請求項４】
前記側壁部は、前記第２の底受け部の先端側を保持する支持部を有している請求項１から３の何れかに記載のカップホルダ装置。
【請求項５】
前記第２の底受け部は、前記蓋体に着脱可能に取り付けられている請求項１から４の何れかに記載のカップホルダ装置。
【発明の詳細な説明】
【０００１】
【発明の属する技術分野】
本発明は、自動車等の室内に装備されて、缶，コップ，ペットボトル等の飲料容器を倒れないように保持するカップホルダ装置に関するものである。
【０００２】
【従来の技術】
図７は従来カップホルダ装置の２例を示している。同（ａ）のカップホルダ装置（特開平９−２０１６６号）は、本体５０が飲料容器（以下、容器と略称する）Ａ，Ｂに対応した大きさの凹状部５１を形成し、凹状部５１の一側面５２ａに枢軸５３を介し組み付けられた回転体５４を有している。この回転体５４は切り込み５４ａ，５４ｂを周囲に形成しており、枢軸５３を支点として矢印方向へ回動されると、切り込み５４ａ又は５４ｂが一側面５２ａに設けられた開口から凹状部５１内へ配置される。即ち、この構造では、容器ＡやＢが上開口から凹状部５１内へ挿入されて、該容器の底を凹状部５１の下面である底受け部で支持し、容器側面を切り込み５４ａや５４ｂと対向側面５２ｂとの間に拘束支持する。
【０００３】
同（ｂ）のカップホルダ装置（実開平４−５７４４５号）は、本体６０が大きな凹状部６１を形成し、又、一側面６２ａから凹状部６１内に出入自在な押え部材６３を有している。この押え部材６３は、ケース６４に対し不図示の付勢手段で突出する方向へ付勢されると共に、プッシュ・プッシュ係止機構（プッシュロックオープン機構）６５を介し凹状部６１から退避した状態で係止される。即ち、この構造では、容器Ａ又はＢが上開口から凹状部６１内へ挿入されて、該容器の底を凹状部６１の下面である底受け部６１ａで支持する。その後、容器Ａ又はＢは、押え部材６３を矢印方向へ押してプッシュ・プッシュ係止機構６５を係止解除すると、押え部材６３が前記付勢手段の付勢力で同図の如く凹状部６１内へ突出して、その先端と対向側面６２ｂとの間に拘束支持される。
【０００４】
【発明が解決しようとする課題】
以上の従来構造は、凹状部５１や６１が外径の異なる容器Ａ，Ｂでも挿入可能にするため比較的大きく設定されると共に、回転体５４や押え部材６３により各容器側面を倒れないよう支持可能にしたものである。ところが、各構造では、多種の飲料容器のうち、例えば、２５０〜３５０ミリリットル缶やカップであっても同様に保持できるものの次のような問題を有している。即ち、車室内に持ち込まれる飲料容器には、高さ寸法が２５０ミリリットル以下の缶やコップ類の如く極端に小さなものから、ペットボトル（５００〜９００ミリリット）等の如く極端に大きいものもある。図６（ｂ）は、２５０ミリリットル缶（容器Ｄ）と、ペットボトル（容器Ｅ）を凹状部５１（６１）に入れた状態を模式的に示している。この例において、容器Ｄは、凹状部５１（６１）から突出する上部分が少ないため取り出しに難くなる。容器Ｅは、上部分が凹状部５１（６１）から大きく突出して安定保持に欠けている。このように、従来構造では、凹状部５１（６１）の深さが一定になっているため、容器高さ寸法が平均よりも小さかったり大きくなると使い勝手が悪くなる。また、カップホルダ装置は、図６の例の如く車室内の中央トンネル部４０を構成しているセンタコンソール４２付近のうち、チェンジレバー等の操作部４１に接近して設けられることも多く、その場合、容器Ｅの上部分が大きく突出していると、操作部４１を操作する際に当たる虞もあり操作性や安全性の阻害要因となる。
【０００５】
本発明は上記したような課題を簡易に解消することを目的としている。具体的には、高さが小さかったり大きい容器でも、凹状内からの容器突出寸法を最適な状態にして、使い勝手と安全性並びに安定保持を良好に維持できるようにする。
【０００６】
【課題を解決するための手段】
上記目的を達成するため本発明は、図１〜図５に示される各形態例の如く、本体が蓋体で開閉されると共に、飲料用容器の底を支持する底受け部と、前記容器の側面を支持可能な側壁部とを有した概略凹状からなるカップホルダ装置において、前記蓋体に設けられて、前記凹状の下面である底受け部の上側で該凹状内を横切るよう突出され、前記容器の底を支持可能な第２の底受け部を有していることを特徴としている。
【０００７】
以上のカップホルダ装置は、第２の底受け部を有し、該第２の底受け部を必要に応じ使用することにより、容器を高い位置に支持可能になっている。即ち、容器は、凹状内に入れられると、容器の底が凹状の下面である底受け部より高い第２の底受け部で支持され、容器の側面が凹状の側壁部で支持される。このため、この構造では、例えば、図６（ａ）の如く２５０ミリリットル缶（容器Ｄ）を保持する際に第２の底受け部を使用し、ペットボトル（容器Ｅ）を保持する場合に凹状内の底受け部を使用すると、容器高さ寸法（容器の背丈）に関係なく凹状内から突出する上部分を同程度に調整できる。従って、本発明装置は、従来装置に対し、容器Ｄ、Ｅ等の背丈の大小にかかわらず、凹状内からの上突出部分を最適な状態にして出し入れし易くしたり、凹状内からの上突出部分を抑えて安定に保持したり、操作部４１の操作性を損なう虞も解消できる。
【０００８】
以上の本発明は請求項２〜５の如く具体化されることがより好ましい。即ち、
・第１に、前記第２の底受け部は、前記蓋体に沿って配置される非使用位置と、前記凹状内に突出配置される使用位置とに回動切り換えられる構成である。これは、第２の底受け部を使い易くしたり、第２の底受け部が不要なときに形態例の如く蓋体の一部に収容されるようにして外観特性を維持したり邪魔にならないようにしたことに意義がある。
・第２に、前記第２の底受け部は、前記凹状内に突出される高さが変更可能になっている構成である。これは、第２形態を特定したもので、第２の底受け部の高さを容器の背丈に応じて細かに変更できることから、使い勝手をより向上できる。
・第３に、前記側壁部は、前記第２の底受け部の先端側を保持する支持部を有している構成である。これは、各形態の如く第２の底受け部が蓋体に簡単に取り付けられたとしても、側壁部の支持部で安定保持されるようにする。
・第４に、前記第２の底受け部は、前記蓋体に着脱可能に取り付けられている構成である。これは、第２の底受け部が着脱可能になっていると、蓋体への組み付けを後付け方式で行ったり、蓋体を掃除し易くするという利点を具備できる。
【０００９】
【発明の実施の形態】
以下、本発明を適用した２例を図面に基づいて説明する。図１〜図３は第１形態であり、図１は装置を蓋体の開状態で示す外観図、図２は図１の装置を蓋体の閉状態で示す側面図、図３は図１のＡ−Ａ線矢視断面図である。図４と図５は第２形態であり、図４（ａ）は装置を蓋体の開状態で示す外観図、図４（ｂ）は第の底受け部及びその取付構造を示す模式斜視図、図５は図４の装置を図３と同様な態様で示す断面図である。以下の説明では、各形態の概要を述べた後、各形態の要部構造及び作動に言及する。なお、第１形態と第２形態は第２の底受け部及びそれに関係する箇所だけが変更されているため、実質的に同じ部材及び部位に同一符号を付し、重複説明を極力省くことにする。
【００１０】
（概要）各形態のカップホルダ装置は、本体１が概略凹状（以下、凹状部２Ａ，２Ｂ又は２という）を形成し、凹状部２の上開口を開閉する蓋体１０と、蓋体１０に付設されて凹状部２内に突出可能な第２の底受け部（以下、上段底受け部材２０又は３０という）を有している。ここで、本体１及び蓋体１０は、共に樹脂成形品であるが他の材質であってもよい。凹状部２は、例えば、開口面積が５００〜９００ミリリットルのペットボトル（容器Ｅ）がそれぞれ個別的に挿入される凹状部２Ａ，２Ｂから構成され、又、深さが１００〜１８０ｍｍ程度に設定される。但し、凹状部２は、１個の容器Ｅが出し入れされる構成であってもよい。また、蓋部１０は、本体１に対し回動手段１５を介し開閉可能に取り付けられている。そして、以上のカップホルダ装置は、図６（ａ）の如く自動車室内の中央トンネル部４０のうち、センタコンソール４２の手前に設置される例である。即ち、中央トンネル部４０は、フロアから比較的高く立ち上げられた空洞となっており、前側に設けられたシフトレバーやチェンジレバー等の操作部４１と、後側に設けられたセンタコンソール４２との間に本体１を埋設した状態（図１の如く中央トンネル部４０に設けられた開口４４から内部に挿入された状態）で装着している。但し、本体１は、各種のコンソール自体として、又は、コンソールの一部を構成するよう設けられることもある。また、本体１は車体前後方向に配置しているが、中央トンネル部４０の幅寸法が許す場合には車体幅（左右）方向に配置される。
【００１１】
（各形態の共通点）各形態のカップホルダ装置は、本体１が上開口した容器用凹状部２を形成し、該凹状部２の上開口を開閉する蓋体１０に付設された上段底受け部材２０又は３０を有している。ここで、本体１は、凹状部２Ａ，２Ｂの上周囲の一部にフランジ部３及び該フランジ部３から起立された片側のガード壁３ａを形成していると共に、凹状部２Ａ，２Ｂを区画している側壁部５の一部に上段底受け部材２０又は３０を蓋体１０から凹状部２Ａ，２Ｂに挿入可能にする切り欠き部４を形成している。切り欠き部４は、蓋体１０が開状態になったときに対向する側壁部５に設けられている。切り欠き部４の幅は上段底受け部材２０又は３０の幅に対応し、切り欠き部４の上下寸法は図３と図５の如く第１形態よりも第２形態の方が深くなっている。また、凹状部２Ａ，２Ｂの間には、各凹状を区画するよう対向内面に膨出部６，７が設けられている。膨出部６は切り欠き部４同士の間に位置し、膨出部７は膨出部６と所定の隙間８を保っている。このため、各形態の凹状部２Ａ，２Ｂにおいて、各凹状の下面は従来と同様に容器の底を受ける底受け部６となる。各凹状の内周面つまり容器の側面を支持する側壁部５は、切り欠き部４及び隙間８を除いた凹状の内周面で形成されている。
【００１２】
蓋体１０は、内面に２つの収容部１３を形成し、各収容部１３に回動可能に取り付けられた上段底受け部材２０又は３０を有している。各収容部１３は、蓋体１０の内面を一段低く形成したもので、蓋体１０の開状態において本体１の対応する切り欠き部４と対向する。また、各蓋体１０は、本体１に対し回動手段１５を介し凹状部２の上開口を覆った図２の閉状態と、閉状態から略９０度だけ回動されて図３や図５の如く凹状部２の上開口を全開する開状態とに切り換えられる。開状態では、蓋体１０が本体１の側部のうち切り欠き部４側の側部に沿って配置される。蓋体１０の開閉機構は細部を省略したが、本出願人の開発した特開平９−２０１７７号とほぼ同じ。即ち、蓋体１０は、両側に突設した支持片１１を本体１の対応側部に枢軸１２を介し回動可能に連結され、又、不図示のロック手段により閉状態でロックされるようになっている。支持片１１と本体１との間には、蓋体１０を常に開状態の方向へ付勢している付勢ばねＳが設けられている。そして、蓋体１０は、前記ロック手段を蓋体１０の押し操作によりロック解除すると、付勢ばねＳにより開状態へ回動される。蓋体１０は、付勢ばねＳの付勢力に抗して閉状態まで回動されると、前記ロック手段を介しその状態を保つ。符号１６はギア１６ａ付きの制動用ダンパーである。このダンパー１６は、支持片１１の自由端側に設けられたギア１１ａが前記ギア１６ａと噛み合うことにより、蓋体１０の回動速度を制動する。符号１８は取付用の板ばねであり、基端が本体１に設けられた取付部１７に固定されている。本体１は、図１の如くトンネル部４０等の設置部に設けられた開口４４に挿入されると共に、板ばね１８の先端側で抜け止めされる。このような、蓋体１０の開閉機構と本体１の取付構造自体は、実開平５−６５６８７号等の他の公知のものでも差し支えない。
【００１３】
（第１形態の要部）第１形態の凹状部２Ａ，２Ｂには、湾曲状の側壁部５のうち、図３の如く切り欠き部４と対向する箇所に支持部９が設けられている。この支持部９は、凹状部２Ａ，１２Ｂの上端から対応する切り欠き部４と略同じ深さまでを平面に形成したものであり、端面９ａの上に上段底受け部材２０の先端側を保持する構成である。蓋体１０の収容部１３には、内側の対向端面にあって、蓋体１０の開状態で下側に軸穴１４ａが、上側に係止穴１４ｂがそれぞれ設けられている。これに対し、上段底受け部材２０は、樹脂成形された細長い片状に形成されており、蓋体１０の収容部１３に配置したときに略面一となる。両側には、基端側に設けられて前記軸穴１４ａと嵌合する軸部２１と、先端側に設けられて前記係止穴１４ｂと嵌合する小突起２２とを有している。
【００１４】
（作動）以上の上段底受け部材２０は、両側の軸部２１が収容部１３の対応する軸穴１４ａに嵌合されることにより、蓋体１０に対し略９０度だけ回動可能に取り付けられる。そして、上段底受け部材２０は、図１の手前側の如く収容部１３に配置されると、小突起２２が対応する係止穴１４ｂと嵌合しその状態で保持される。この非使用位置において、図３に例示したように、５００〜９００ミリリットルのペットボトル（容器Ｅ）は、上開口から挿入されると、該容器の底が底受け部６上に支持され、該容器の側面が側壁部５で支持される。この支持構造は従来と同じである。しかし、本発明では、上段底受け部材２０，３０を活用する関係で凹状部２Ａ，２Ｂが従来よりも深くなっているため、容器Ｅの上突出部分が抑えられている。上段底受け部材２０は、非使用位置から、小突起２２と係止穴１４ｂとの嵌合力に抗して引き出されると、全体が軸部２１を支点として前方へ回動されて対応する切り欠き部４から凹状部２Ａ又は２Ｂ内に入り、先端が支持部９の端面９ａ上に係止される。この使用位置において、上段底受け部材２０は、基端側が切り欠き部４の端面上に保持され、先端側が端面９ａに保持されていて、凹状部２Ａや２Ｂ内を略水平に横切っている。そのため、図３に例示したように、比較的小さな容器ＡやＤは、凹状部２Ａ，２Ｂの上開口から挿入されると、該容器の底が上段底受け部材２０上に支持され、該容器の側面が上段底受け部材２０より上側の側壁部５で支持される。なお、上段底受け部材２０は、使用位置において、凹状部２との間に隙間を形成しており、該隙間から指等で持ち上げるようにして非使用位置まで回動される。但し、上段底受け部材２０には図３中、符号２３で示す如く摘み用貫通孔等を設け、該貫通孔２３を利用して使用位置から非使用位置へ切り換えるようにしてもよい。
【００１５】
（第２形態の要部）第２形態の凹状部２Ａ，２Ｂには、側壁部５のうち、図５の如く切り欠き部４と対向する箇所に支持部１９が設けられている。この支持部１９は、凹状部２Ａ，２Ｂの上側を平坦にし、その下側に設けられた３つの係止部１９ａから構成されている。上段の係止部１９ａは凹状部２の上下中間より上側に位置し、中段の係止部１９ａは凹状部２の上下略中間に位置し、下段の係止部１９ａは切り欠き部４の端面４ａより少し上側に位置している。蓋体１０の収容部１３には、蓋体１０の開状態で、前記各係止部１９ａに対応した３つの係合穴１４ｃが内側の対向端面にそれぞれ設けられている。これに対し、上段底受け部材３０は、図４（ｂ）の如く剛性線材で細長い略コ形状に形成されている。先端３０ａから両端３０ｂまでの長さは、蓋体１０の開状態で収容部１３から係止部１９ａに達する寸法である。両端３０ｂは略直角に外側へ折り曲げられている。両片部３０ｃの間は、先端３０ａから両端３０ｂに行くほど大となるよう形成されている。
【００１６】
（作動）以上の上段底受け部材３０は、図４（ｂ）の如く両片部３０ｃを矢印方向へ互いに近づけるようにして、両端３０ｂを収容部１３の対応する係合穴１４ｃに係合することにより、蓋体１０に対し回動可能に取り付けられる。また、上段底受け部材３０は、両端３０ｂを係合する係合穴１４ｃを変更したり、蓋体１０を掃除するようなときに蓋体１０から外される。その場合は、両片部３０ｃを矢印方向へ押して互いに近づけるようにすると、両端３０ｂが前記係合穴１４ｃから係合解除される。そして、上段底受け部材３０は、図４の手前側の如く収容部１３に配置されると、前記した矢印方向へ押したときに発現される両片部３０ｃの付勢力により収容部１３の両端面に圧接されてその非使用位置で保持される。この非使用位置では、図３の例と同様、５００〜９００ミリリットルのペットボトル（容器Ｅ）は、上開口から挿入されると、該容器の底が底受け部６上に支持され、該容器の側面が側壁部５で支持される。これは第１形態と同じ。上段底受け部材３０は、非使用位置から、前記付勢力に抗して引き出されると、全体が両端３０ｂを支点として前方へ回動されて対応する切り欠き部４から凹状部２Ａ又は２Ｂ内に入り、先端３０ａが上側の係止部１９ａに当たる。上段底受け部材３０は、先端３０ａが当たった係止部１９ａの高さにより水平とならないことも起きるが、そのときには先端３０ｂを下へ押し込むようにして当該係止部１９ａを弾性的に通り抜け、その下の係止部１９ａに係止する。なお、上段底受け部材３０の高さを変更するときには、前記したように収容部３０から一旦外した後、両端３０ｂを異なる係合穴１４ｃと係合操作する。そして、使用位置において、上段底受け部材３０は、両端３０ｂが係合穴１４ｃに保持され、先端３０ａが係止部１９ａに保持されて、凹状部２Ａや２Ｂ内を略水平に横切っている。そのため、比較的小さな容器ＡやＤは、図３の場合と同様、凹状部２Ａ，２Ｂの上開口から挿入されると、該容器の底が上段底受け部材３０上に支持され、該容器の側面が上段底受け部材３０より上側の側壁部５で支持される。なお、上段底受け部材３０は、使用位置から指等で持ち上げるようにして非使用位置まで回動される。
【００１７】
従って、各形態では、図６（ａ）の例から分かる如く高さ寸法の異なる容器Ｄ，Ｅでも、凹状部２内の底受け部６を使用するか、上段底受け部材２０，３０を使用するかを選択することにより、凹状部２の上開口から突出する容器上部分を同程度にすることができる。換言すると、背丈の小さな容器Ｄは、上段底受け部材２０や３０を使用位置に切り換えて、該容器の底をその上段底受け部材２０や３０上に支持することにより、図６（ｂ）の従来例に比して凹状部２の上開口から突出する容器上部分を大きくして掴み易くなる。第２形態では、容器の背丈に応じて上段底受け部材３０の高さを変更できるため、より最適な保持状態が得られる。逆に、背丈の大きな容器Ｅは、上段底受け部材２０や３０を非使用位置に切り換えて、該容器の底を通常の底受け部６上に支持し、凹状部２の上開口から突出する容器上部分を抑えて安定に保持可能となる。これにより、各形態では上記した操作部４１の操作に障害となる虞も解消できる。上段底受け部材２０，３０は蓋体１０に組み付けられているため邪魔になることもない。
【００１８】
なお、本発明は上記した形態に限定されることなく、請求項で特定される要件を具備する範囲で種々変形可能なものである。一例としては、上段底受け部材２０，３０や支持部９，１９の形状を変更したり、上段底受け部材２０，３０の使用位置と非使用位置との間の切り換え構造を変更することである。また、上段底受け部材２０，３０は使用位置で異なる高さとなる複数で構成し、容器にあったものを選んで凹状部２内に突出配置するようにしてもよい。
【００１９】
【発明の効果】
以上説明したとおり、本発明のカップホルダ装置は、蓋体に設けられて、凹状の下面である底受け部より上側に突出される第２の底受け部材を有しているため、背丈の小さな容器の場合に第２の底受け部材を使用して凹状内からの上突出部分を確保して掴みや易くしたり、背丈の大きな容器の場合に凹状内の底受け部を使用して上突出部分を抑えて安定に保持できる。即ち、本発明は、背丈が小さかったり大きい容器であっても、凹状内からの容器突出寸法を最適な状態にして、使い勝手と安全性及び安定保持を向上できる。
【図面の簡単な説明】
【図１】  本発明を適用した第１形態の装置要部を示す構成図である。
【図２】  図１の装置における蓋体の動きを示す側面図である。
【図３】  図１のＡ−Ａ線に沿った縦断面図である。
【図４】  本発明を適用した第２形態の装置要部を示す構成図である。
【図５】  第２形態の装置を図３に対応させて示す縦断面図である。
【図６】  本発明装置と従来装置との相違を説明するための模式図である。
【図７】  従来カップホルダ装置の２例を示す図である。
【符号の説明】
１…本体
２，２Ａ，２Ｂ…凹状部（凹状）
４…切り欠き部
５…側壁部
６…底受け部
９，１９…支持部（９ａは係止用端面、１９ａは係止部）
１０…蓋体
１３…収容部
２０，３０…上段底受け部材（第２の底受け部）
Ａ，Ｂ，Ｄ，Ｅ…容器
【図１】
0004672205.tif 000002
【図２】
0004672205.tif 000003
【図３】
0004672205.tif 000004
【図４】
0004672205.tif 000005
【図５】
0004672205.tif 000006
【図６】
0004672205.tif 000007
【図７】
0004672205.tif 000008